(57)【要約】【課題】本発明は森林環境監視測定システムを開示した。    【解決手段】ボディー  と、昇降座とベースとを含み、前記ボディー  が前記昇降座の頂部面に固定され、前記ボディー  の中には円柱チャンバが設置され、前記円柱チャンバの左右両側の内壁にはいずれも第一スライド溝が設置され、二つの前記第一スライド溝の中にはいずれも第一スライダがスライドできるように設置され、二つの前記第一スライダの間には固定リングが固定的に設置され、前記固定リングの中には円台が回転できるように設置され、前記円台の頂面がベベルギヤ型の設計であり、前記円台の中には上下に伸びている設置の外スライド鋼管が固定的に設置され、本発明の設備が煙を測定した時、水を噴いて火を消す作業を行うことができ、回転台の上昇と回転により、水を散布する範囲を更に広くし、消防士の現場について火を消すことに時間を稼ぐことができる。【選択図】図１
2020182815.tif 000002
【特許請求の範囲】
【請求項１】
正面視で、ボディー  と、昇降座と、ベースとを含み、前記ボディー  が前記昇降座の頂部面に固定され、前記ボディー  の中には円柱チャンバが設置され、前記円柱チャンバの左右両側の内壁にはいずれも第一スライド溝が設置され、二つの前記第一スライド溝の中にはいずれも第一スライダがスライドできるように設置され、二つの前記第一スライダの間には固定リングが固定的に設置され、前記固定リングの中には円台が回転できるように設置され、前記円台の頂面がベベルギヤ型の設計であり、前記円台の中には上下に伸びている設置の外スライド鋼管が固定的に設置され、前記外スライド鋼管の頂部の延伸段が前記円柱チャンバの頂壁を貫通しており、前記外スライド鋼管の下側底面が前記ボディーの外部まで伸びており、前記外スライド鋼管の中には内鋼管が設置され、前記内鋼管が前記円柱チャンバの底壁を貫通しており、且つ前記内鋼管が前記昇降座を貫通しており、且つ前記昇降座と固定的に連結され、前記円柱チャンバの後側の前記ボディー  の中にはベルトチャンバが設置され、前記ベルトチャンバと前記第一スライド溝との間にはいずれも前後に伸びている伝動軸が回転できるように設置され、前記伝動軸の前側面にはいずれも前記第一スライド溝の中に位置しているリールが固定的に設置され、前記リールと前記第一スライダとの間が引き糸により固定的に連結されていることを特徴とする森林環境監視測定システム。
【請求項２】
前記ベルトチャンバの中に位置している前記伝動軸の外周にはいずれもベルトプーリが固定的に設置され、二つの前記ベルトプーリの間がベルトにより動力が伝達できるように連結され、右側に位置している前記伝動軸の後側面が第一モータと動力が伝達できるように連結され、前記第一モータが前記ベルトチャンバの後側壁の中に固定的に嵌められ、前記外スライド鋼管の頂部側面には回転台が固定的に設置され、前記回転台の頂部面には均一的に配置された四つの水噴き口が固定的に設置され、四つの前記水噴き口がいずれも前記回転台により前記外スライド鋼管と連通するように設置されていることを特徴とする請求項１に記載の森林環境監視測定システム。
【請求項３】
前記円柱チャンバの頂部の前記ボディーの中にはリング溝が設置され、前記リング溝の中には回転リングが回転できるように設置され、前記回転リングの外周にはスモッグセンサーとカメラとが固定的に設置され、前記第一スライド溝が森林環境を貫通することができ、前記スモッグセンサーが森林の中の空気のスモッグの含量を測定でき、前記リング溝の底壁には動力溝が設置され、前記動力溝と前記円柱チャンバとの間には動力軸が回転できるように設置され、前記動力軸の右側の延伸段が前記円柱チャンバの中に伸びており、且つ前記動力軸の右側面には動力ベベルギヤが固定的に設置され、前記動力ベベルギヤが前記円台の頂端と噛み合うことができ、前記動力溝の中に位置している前記動力軸の外周には動力ギヤが固定的に設置され、前記動力ギヤが前記回転リングの底面と噛み合っており、前記動力軸の左側面には第二モータが動力が伝達できるように連結され、前記第二モータが前記動力溝の左側端壁の中に固定的に嵌められていることを特徴とする請求項１に記載の森林環境監視測定システム。
【請求項４】
前記ボディーの右側面にはマスクチャンバが設置され、前記マスクチャンバの頂壁にはガイドスライド板が固定的に設置され、前記マスクチャンバの中にはスライド板が設置され、前記ガイドスライド板が前記スライド板の中に挿入されており、且つ前記ガイドスライド板が前記スライド板とスライドできるように連結され、前記ガイドスライド板と前記スライド板との間にはばねが装着され、前記スライド板の右側面には取手が固定的に設置されていることを特徴とする請求項１に記載の森林環境監視測定システム。
【請求項５】
前記昇降座の底部端面には左右に対称的に設置された第二スライド溝が設置され、前記第二スライド溝の中にはいずれも第二スライダがスライドできるように設置され、二つの前記第二スライダの中にはいずれもヒンジ連結ロッドがヒンジにより設置され、二つの前記ヒンジ連結ロッドが交差してヒンジにより連結されていることを特徴とする請求項１に記載の森林環境監視測定システム。
【請求項６】
前記ベースの頂部端面には第三スライド溝が設置され、前記第三スライド溝の中には左右対称的に設置された二つの第三スライダがスライドできるように設置され、前記第三スライダの頂面と前記ヒンジ連結ロッドの底面とがヒンジにより連結され、前記第三スライド溝の中には左右に伸びているように設置されたネジロッド軸が回転できるように設置され、前記ネジロッド軸と前記第三スライダとがネジ山により連結され、前記ネジロッド軸の左側面には第三モータが動力が伝達できるように連結され、前記第三モータが前記第三スライド溝の左側端壁の中に固定的に嵌められていることを特徴とする請求項１に記載の森林環境監視測定システム。
【請求項７】
前記内鋼管の底部末端にはプラスチック水管が固定的に設置され、前記プラスチック水管が外部空間の水源に連通しており、更に水を前記プラスチック水管から前記外スライド鋼管の中に入らせることができることを特徴とする請求項１に記載の森林環境監視測定システム。
【請求項８】
前記ベースの底部にはローラ機構を装着できることを特徴とする請求項１に記載の森林環境監視測定システム。
【発明の詳細な説明】
【技術分野】
【０００１】
本発明は環境測定技術分野を取り上げて、具体的には森林環境監視測定システムである。
【背景技術】
【０００２】
従来の森林環境測定は森林の温度と湿度しか測定できなく、森林のあるところで出火する時、消防士が火事場に駆けつけて火を消す必要があり、もし現場につくことにかかる時間が比較的に長いと、火勢が強まる可能性があり、これにより火を消しにくく、財産の損失をもたらし、そのため、出火の初期に火元を消すことができる測定システムを設計する必要があり、消防士のために時間を稼ぎ、火勢が強まることを防止する。
【先行技術文献】
【特許文献】
【０００３】
【特許文献１】中国特許出願公開第１０１８９３５６８号明細書
【発明の概要】
【発明が解決しようとする課題】
【０００４】
本発明は森林環境監視測定システムを提供し、従来技術における上記欠点を解消することを目的とする。
【課題を解決するための手段】
【０００５】
本発明の森林環境監視測定システムは、ボディー  と、昇降座と、ベースとを含み、前記ボディー  が前記昇降座の頂部面に固定され、前記ボディー  の中には円柱チャンバが設置され、前記円柱チャンバの左右両側の内壁にはいずれも第一スライド溝が設置され、二つの前記第一スライド溝の中にはいずれも第一スライダがスライドできるように設置され、二つの前記第一スライダの間には固定リングが固定的に設置され、前記固定リングの中には円台が回転できるように設置され、前記円台の頂面がベベルギヤ型の設計であり、前記円台の中には上下に伸びている設置の外スライド鋼管が固定的に設置され、前記外スライド鋼管の頂部の延伸段が前記円柱チャンバの頂壁を貫通しており、前記外スライド鋼管の下側底面が前記ボディーの外部まで伸びており、前記外スライド鋼管の中には内鋼管が設置され、前記内鋼管が前記円柱チャンバの底壁を貫通しており、且つ前記内鋼管が前記昇降座を貫通しており、且つ前記昇降座と固定的に連結され、前記円柱チャンバの後側の前記ボディー  の中にはベルトチャンバが設置され、前記ベルトチャンバと前記第一スライド溝との間にはいずれも前後に伸びている伝動軸が回転できるように設置され、前記伝動軸の前側面にはいずれも前記第一スライド溝の中に位置しているリールが固定的に設置され、前記リールと前記第一スライダとの間が引き糸により固定的に連結されている。
【０００６】
上記の技術プランの上で、前記ベルトチャンバの中に位置している前記伝動軸の外周にはいずれもベルトプーリが固定的に設置され、二つの前記ベルトプーリの間がベルトにより動力が伝達できるように連結され、右側に位置している前記伝動軸の後側面が第一モータと動力が伝達できるように連結され、前記第一モータが前記ベルトチャンバの後側壁の中に固定的に嵌められ、前記外スライド鋼管の頂部側面には回転台が固定的に設置され、前記回転台の頂部面には均一的に配置された四つの水噴き口が固定的に設置され、四つの前記水噴き口がいずれも前記回転台により前記外スライド鋼管と連通するように設置されている。
【０００７】
上記の技術プランの上で、前記円柱チャンバの頂部の前記ボディーの中にはリング溝が設置され、前記リング溝の中には回転リングが回転できるように設置され、前記回転リングの外周にはスモッグセンサーとカメラとが固定的に設置され、前記第一スライド溝が森林環境を貫通することができ、前記スモッグセンサーが森林の中の空気のスモッグの含量を測定でき、前記リング溝の底壁には動力溝が設置され、前記動力溝と前記円柱チャンバとの間には動力軸が回転できるように設置され、前記動力軸の右側の延伸段が前記円柱チャンバの中に伸びており、且つ前記動力軸の右側面には動力ベベルギヤが固定的に設置され、前記動力ベベルギヤが前記円台の頂端と噛み合うことができ、前記動力溝の中に位置している前記動力軸の外周には動力ギヤが固定的に設置され、前記動力ギヤが前記回転リングの底面と噛み合っており、前記動力軸の左側面には第二モータが動力が伝達できるように連結され、前記第二モータが前記動力溝の左側端壁の中に固定的に嵌められている。
【０００８】
上記の技術プランの上で、前記ボディーの右側面にはマスクチャンバが設置され、前記マスクチャンバの頂壁にはガイドスライド板が固定的に設置され、前記マスクチャンバの中にはスライド板が設置され、前記ガイドスライド板が前記スライド板の中に挿入されており、且つ前記ガイドスライド板が前記スライド板とスライドできるように連結され、前記ガイドスライド板と前記スライド板との間にはばねが装着され、前記スライド板の右側面には取手が固定的に設置されている。
【０００９】
上記の技術プランの上で、前記昇降座の底部端面には左右に対称的に設置された第二スライド溝が設置され、前記第二スライド溝の中にはいずれも第二スライダがスライドできるように設置され、二つの前記第二スライダの中にはいずれもヒンジ連結ロッドがヒンジにより設置され、二つの前記ヒンジ連結ロッドが交差してヒンジにより連結されている。
【００１０】
上記の技術プランの上で、前記ベースの頂部端面には第三スライド溝が設置され、前記第三スライド溝の中には左右対称的に設置された二つの第三スライダがスライドできるように設置され、前記第三スライダの頂面と前記ヒンジ連結ロッドの底面とがヒンジにより連結され、前記第三スライド溝の中には左右に伸びているように設置されたネジロッド軸が回転できるように設置され、前記ネジロッド軸と前記第三スライダとがネジ山により連結され、前記ネジロッド軸の左側面には第三モータが動力が伝達できるように連結され、前記第三モータが前記第三スライド溝の左側端壁の中に固定的に嵌められている。
【００１１】
上記の技術プランの上で、前記内鋼管の底部末端にはプラスチック水管が固定的に設置され、前記プラスチック水管が外部空間の水源に連通しており、更に水を前記プラスチック水管から前記外スライド鋼管の中に入らせることができる。
【００１２】
上記の技術プランの上で、前記ベースの底部にはローラ機構を装着できる。
【発明の効果】
【００１３】
本発明の有益効果は：本発明は輸送しやすく、輸送の過程において高度を下げて収納することができ、移転に便利を与え、しかも本発明の設備が煙を測定した時、水を噴いて火を消す作業を行うことができ、回転台の上昇と回転により、水を散布する範囲を更に広くし、また本発明の中にはマスクチャンバが設置され、火勢が強い時に人がマスクを使って逃げることに便利を与える。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の森林環境監視測定システムの内部全体構成模式図
【図２】図２は本発明の中の図１の中のＢ―Ｂ方向の模式図
【図３】図３本発明の中の回転台の上面図
【図４】図４は本発明の図１の中のＡの部分拡大模式図
【図５】図５は本発明の中の第二モータのところの部分拡大模式図
【発明を実施するための形態】
【００１６】
図１〜５を参照し、本発明の実施例の本発明の森林環境監視測定システムは、ボディー  １０と、昇降座１２とベース１１とを含み、前記ボディー  １０が前記昇降座１２の頂部面に固定され、前記ボディー  １０の中には円柱チャンバ４０が設置され、前記円柱チャンバ４０の左右両側の内壁にはいずれも第一スライド溝４１が設置され、二つの前記第一スライド溝４１の中にはいずれも第一スライダ６０がスライドできるように設置され、二つの前記第一スライダ６０の間には固定リング４２が固定的に設置され、前記固定リング４２の中には円台４３が回転できるように設置され、前記円台４３の頂面がベベルギヤ型の設計であり、前記円台４３の中には上下に伸びている設置の外スライド鋼管２４が固定的に設置され、前記外スライド鋼管２４の頂部の延伸段が前記円柱チャンバ４０の頂壁を貫通しており、前記外スライド鋼管２４の下側底面が前記ボディー１０の外部まで伸びており、前記外スライド鋼管２４の中には内鋼管２６が設置され、前記内鋼管２６が前記円柱チャンバ４０の底壁を貫通しており、且つ前記内鋼管２６が前記昇降座１２を貫通しており、且つ前記昇降座１２と固定的に連結され、前記円柱チャンバ４０の後側の前記ボディー  １０の中にはベルトチャンバ４６が設置され、前記ベルトチャンバ４６と前記第一スライド溝４１との間にはいずれも前後に伸びている伝動軸３６が回転できるように設置され、前記伝動軸３６の前側面にはいずれも前記第一スライド溝４１の中に位置しているリール３７が固定的に設置され、前記リール３７と前記第一スライダ６０との間が引き糸６１により固定的に連結されている。  
【００１７】
有益なまた例を示すように、前記ベルトチャンバ４６の中に位置している前記伝動軸３６の外周にはいずれもベルトプーリ４７が固定的に設置され、二つの前記ベルトプーリ４７の間がベルト４８により動力が伝達できるように連結され、右側に位置している前記伝動軸３６の後側面が第一モータ４５と動力が伝達できるように連結され、前記第一モータ４５が前記ベルトチャンバ４６の後側壁の中に固定的に嵌められ、前記外スライド鋼管２４の頂部側面には回転台２５が固定的に設置され、前記回転台２５の頂部面には均一的に配置された四つの水噴き口２７が固定的に設置され、四つの前記水噴き口２７がいずれも前記回転台２５により前記外スライド鋼管２４と連通するように設置され、前記リール３７により前記外スライド鋼管２４を引き動かして上昇させる又は下降させることができ、更に前記回転台２５を上昇させ、これにより前記水噴き口２７が水をもっと遠いところまで噴く。    
【００１８】
有益なまた例を示すように、前記円柱チャンバ４０の頂部の前記ボディー１０の中にはリング溝３０が設置され、前記リング溝３０の中には回転リング２２が回転できるように設置され、前記回転リング２２の外周にはスモッグセンサー２３とカメラ２９とが固定的に設置され、前記第一スライド溝３９が森林環境を貫通することができ、前記スモッグセンサー２３が森林の中の空気のスモッグの含量を測定でき、前記リング溝３０の底壁には動力溝３３が設置され、前記動力溝３３と前記円柱チャンバ４０との間には動力軸３４が回転できるように設置され、前記動力軸３４の右側の延伸段が前記円柱チャンバ４０の中に伸びており、且つ前記動力軸３４の右側面には動力ベベルギヤ３５が固定的に設置され、前記動力ベベルギヤ３５が前記円台４３の頂端と噛み合うことができ、前記動力溝３３の中に位置している前記動力軸３４の外周には動力ギヤ３２が固定的に設置され、前記動力ギヤ３２が前記回転リング２２の底面と噛み合っており、前記動力軸３４の左側面には第二モータ３１が動力が伝達できるように連結され、前記第二モータ３１が前記動力溝３３の左側壁の中に固定的に嵌められ、前記第二モータ３１を制御して作動させ、これにより前記動力ギヤ３２が前記回転リング２２を連動させて回転させ、更にもっと全面的に周りの状況を観察できる。
【００１９】
有益なまた例を示すように、前記ボディー１０の右側面にはマスクチャンバ４４が設置され、前記マスクチャンバ４４の頂壁にはガイドスライド板２１が固定的に設置され、前記マスクチャンバ４４の中にはスライド板１８が設置され、前記ガイドスライド板２１が前記スライド板１８の中に挿入されており、且つ前記ガイドスライド板２１が前記スライド板１８とスライドできるように連結され、前記ガイドスライド板２１と前記スライド板１８との間にはばね２０が装着され、前記スライド板１８の右側面には取手１９が固定的に設置され、前記マスクチャンバ４４の中にマスクと灯具などの雑物を置くことができ、森林が出火する時に人が逃げるための使用に便利を与える。
【００２０】
有益なまた例を示すように、前記昇降座１２の底部面には左右に対称的に設置された第二スライド溝６５が設置され、前記第二スライド溝６５の中にはいずれも第二スライダ５４がスライドできるように設置され、二つの前記第二スライダ５４の中にはいずれもヒンジ連結ロッド１６がヒンジにより設置され、二つの前記ヒンジ連結ロッド１６が交差してヒンジにより連結され、二つの前記ヒンジ連結ロッド１６が互いに近づくことにより、前記第二スライダ５４が互いに近づくことができ、更に前記昇降座１２が上方へ移動し、装置全体の高度を調節する。
【００２１】
有益なまた例を示すように、前記ベース１１の頂面には第三スライド溝５２が設置され、前記第三スライド溝５２の中には左右対称的に設置された二つの第三スライダ５１がスライドできるように設置され、前記第三スライダ５１の頂面と前記ヒンジ連結ロッド１６の底面とがヒンジにより連結され、前記第三スライド溝５２の中には左右に伸びているように設置されたネジロッド軸５３が回転できるように設置され、前記ネジロッド軸５３と前記第三スライダ５１とがネジ山により連結され、前記ネジロッド軸５３の左側面には第三モータ５０が動力が伝達できるように連結され、前記第三モータ５０が前記第三スライド溝５２の左側壁の中に固定的に嵌められ、前記第三モータ５０を制御して作動させ、これにより前記ネジロッド軸５３が二つの前記第三スライダ５１を連動させて互いに近づかせ、更に前記昇降座１２を上方へ突き上げることができる。
【００２２】
有益なまた例を示すように、前記内鋼管２６の底部面にはプラスチック水管１７が固定的に設置され、前記プラスチック水管１７が外部空間の水源に連通しており、更に水を前記プラスチック水管１７から前記外スライド鋼管２４の中に入らせることができる。
【００２３】
有益なまた例を示すように、前記ベース１１の底部にローラ機構１４を装着でき、前記ローラ機構１４が装置全体の移転に便利を与える。
【００２４】
作業する時、まずプラスチック水管１７を外部空間の水源に連通させ、第三モータ５０を制御して作動させ、これによりネジロッド軸５３が第三スライダ５１を連動させて互いに近づかせ、これにより第二スライダ５４が互いに近づき、更に昇降座１２が上方へ移動し、これによりボディー１０が上昇し、第三モータ５０を制御して作動させ、これにより動力軸３４が動力ギヤ３２を連動させて回転させ、動力ギヤ３２が回転リング２２を連動させて回転させ、更にカメラ２９がもっと全面的に周りの状況を観察し、もしスモックセンサー２３がスモックを感知した時、第一モータ４５が起動し、これにより伝動軸３６が回転し、更にリール３７が第一スライダ６０を連動させて上方へ移動させ、更に円台４３が上方へスライドし、円台４３の頂面が動力ベベルギヤ３５と噛み合い、この時に第二モータ３１が動力ベベルギヤ３５により円台４３を連動させて回転させ、更に外スライド鋼管２４が回転し、外スライド鋼管２４が回転台２５を連動させて回転させ、同時にプラスチック水管１７の中の水源が内鋼管２６の中に水を送ることができ、水が回転台２５にある水噴き口２７により噴き出され、水噴き口２７が上方へ移動して回転し、噴く範囲を広くし、スライド板１８をスライドさせ、これによりマスクチャンバ４４の中のマスクなどの雑物を取って使用することができる。
【００２５】
本発明の有益効果は：本発明は輸送しやすく、輸送の過程において高度を下げて収納することができ、移転に便利を与え、しかも本発明の設備が煙を測定した時、水を噴いて火を消す作業を行うことができ、回転台の上昇と回転により、水を散布する範囲を更に広くし、また本発明の中にはマスクチャンバが設置され、火勢が強い時に人がマスクを使って逃げることに便利を与える。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182815.tif 000003
【図２】
2020182815.tif 000004
【図３】
2020182815.tif 000005
【図４】
2020182815.tif 000006
【図５】
2020182815.tif 000007
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
正面視で、ボディーと、昇降座と、ベースとを含み、前記ボディーが前記昇降座の頂部面に固定され、前記ボディーの中には円柱チャンバが設置され、前記円柱チャンバの左右両側の内壁にはいずれも第一スライド溝が設置され、二つの前記第一スライド溝の中にはいずれも第一スライダがスライドできるように設置され、二つの前記第一スライダの間には固定リングが固定的に設置され、前記固定リングの中には円台が回転できるように設置され、前記円台の頂面がベベルギヤ型の設計であり、前記円台の中には上下に伸びている設置の外スライド鋼管が固定的に設置され、前記外スライド鋼管の頂部の延伸段が前記円柱チャンバの頂壁を貫通しており、前記外スライド鋼管の下側底面が前記ボディーの外部まで伸びており、前記外スライド鋼管の中には内鋼管が設置され、前記内鋼管が前記円柱チャンバの底壁を貫通しており、且つ前記内鋼管が前記昇降座を貫通しており、且つ前記昇降座と固定的に連結され、前記円柱チャンバの後側の前記ボディーの中にはベルトチャンバが設置され、前記ベルトチャンバと前記第一スライド溝との間にはいずれも前後に伸びている伝動軸が回転できるように設置され、前記伝動軸の前側面にはいずれも前記第一スライド溝の中に位置しているリールが固定的に設置され、前記リールと前記第一スライダとの間が引き糸により固定的に連結されており、
前記ベルトチャンバの中に位置している前記伝動軸の外周にはいずれもベルトプーリが固定的に設置され、二つの前記ベルトプーリの間がベルトにより動力が伝達できるように連結され、右側に位置している前記伝動軸の後側面が第一モータと動力が伝達できるように連結され、前記第一モータが前記ベルトチャンバの後側壁の中に固定的に嵌められ、前記外スライド鋼管の頂部側面には回転台が固定的に設置され、前記回転台の頂部面には均一的に配置された四つの水噴き口が固定的に設置され、四つの前記水噴き口がいずれも前記回転台により前記外スライド鋼管と連通するように設置されており、 
前記円柱チャンバの頂部の前記ボディーの中にはリング溝が設置され、前記リング溝の中には回転リングが回転できるように設置され、前記回転リングの外周にはスモッグセンサーとカメラとが固定的に設置され、前記第一スライド溝が森林環境を貫通することができ、前記スモッグセンサーが森林の中の空気のスモッグの含量を測定でき、前記リング溝の底壁には動力溝が設置され、前記動力溝と前記円柱チャンバとの間には動力軸が回転できるように設置され、前記動力軸の右側の延伸段が前記円柱チャンバの中に伸びており、且つ前記動力軸の右側面には動力ベベルギヤが固定的に設置され、前記動力ベベルギヤが前記円台の頂端と噛み合うことができ、前記動力溝の中に位置している前記動力軸の外周には動力ギヤが固定的に設置され、前記動力ギヤが前記回転リングの底面と噛み合っており、前記動力軸の左側面には第二モータが動力が伝達できるように連結され、前記第二モータが前記動力溝の左側端壁の中に固定的に嵌められており、
前記ボディーの右側面にはマスクチャンバが設置され、前記マスクチャンバの頂壁にはガイドスライド板が固定的に設置され、前記マスクチャンバの中にはスライド板が設置され、前記ガイドスライド板が前記スライド板の中に挿入されており、且つ前記ガイドスライド板が前記スライド板とスライドできるように連結され、前記ガイドスライド板と前記スライド板との間にはばねが装着され、前記スライド板の右側面には取手が固定的に設置されており、 
前記昇降座の底部端面には左右に対称的に設置された第二スライド溝が設置され、前記第二スライド溝の中にはいずれも第二スライダがスライドできるように設置され、二つの前記第二スライダの中にはいずれもヒンジ連結ロッドがヒンジにより設置され、二つの前記ヒンジ連結ロッドが交差してヒンジにより連結されており、 
前記ベースの頂部端面には第三スライド溝が設置され、前記第三スライド溝の中には左右対称的に設置された二つの第三スライダがスライドできるように設置され、前記第三スライダの頂面と前記ヒンジ連結ロッドの底面とがヒンジにより連結され、前記第三スライド溝の中には左右に伸びているように設置されたネジロッド軸が回転できるように設置され、前記ネジロッド軸と前記第三スライダとがネジ山により連結され、前記ネジロッド軸の左側面には第三モータが動力が伝達できるように連結され、前記第三モータが前記第三スライド溝の左側端壁の中に固定的に嵌められていることを特徴とする請求項１に記載の森林環境監視測定システム。 
【請求項２】
前記内鋼管の底部末端にはプラスチック水管が固定的に設置され、前記プラスチック水管が外部空間の水源に連通しており、更に水を前記プラスチック水管から前記外スライド鋼管の中に入らせることができることを特徴とする請求項１に記載の森林環境監視測定システム。 
【請求項３】
前記ベースの底部にはローラ機構を装着できることを特徴とする請求項１に記載の森林環境監視測定システム。